(57)【特許請求の範囲】
【請求項１】
太陽電池パネルの一辺を保持する枠部材と、該枠部材に結合される補強枠部材とを備え、
前記枠部材は、前記太陽電池パネルの一辺を挟持して前記太陽電池パネルを保持する水平に張設された保持部と、該保持部の下に下方に向かって連設された壁部と、該壁部の下端の内側に、内側に向かって張設された底部片と、を備えると共に、前記保持部の下面、前記壁部の内側面、及び、前記底部片の上面で囲まれた補強枠嵌挿空間を形成しており、
前記補強枠部材は、断面が口字形で内部空間を備えた角パイプで形成され、前記枠部材の保持部の下面と底部片の上面とで挟持されるように、前記補強枠嵌挿空間に嵌挿されて前記枠部材に結合されており、
前記枠部材の補強枠嵌挿空間に面する前記壁部の内側面に突起片が形成されると共に、該突起片に前記補強枠部材の端縁が当接した状態で、該補強枠部材と前記壁部の内側面との間に、前記補強枠部材の内部空間を流れる雨水等の水が滞留することなく外部に流出可能な隙間が形成される太陽電池モジュールであって、
前記突起片は、前記枠部材の前記壁部の内側面と前記保持部の下面との接合部に形成された上隅、及び、前記枠部材の前記壁部の内側面と前記底部片の上面との接合部に形成された下隅に、前記枠部材の全長にわたって形成されていることを特徴とする太陽電池モジュール。
【請求項２】
請求項１記載の太陽電池モジュールにおいて、前記補強枠部材の前記枠部材への結合は、前記枠部材の壁部に設けられた該壁部を貫通する貫通螺子孔、及び、前記補強枠部材の内部空間に突設された螺子係止片を介して螺着することによりなされる太陽電池モジュール。
【請求項３】
請求項１又は２記載の太陽電池モジュールにおいて、前記下隅に形成された前記突起片は、前記枠部材の底部片の上面からの前記突起片の垂直方向の高さが、前記補強枠部材の底辺の肉厚以下となるように形成されている太陽電池モジュール。
【発明の詳細な説明】
【技術分野】
【０００１】
本発明は、枠部材を用いて太陽電池パネルを保持すると共に、この枠部材に結合される補強枠部材を用いた太陽電池モジュールに関する。
【背景技術】
【０００２】
太陽電池モジュールは、一般的に、矩形状の太陽電池パネルと、この太陽電池パネルを保持する枠部材とで構成されている。この太陽電池モジュールに使用される枠部材には、種々の構造のものが知られている。
【０００３】
この枠部材には、この枠部材の構造として、太陽電池パネルの一辺に沿って垂直に形成された壁部と、この壁部の上部に水平に形成され、断面がコの字形をした保持部を備えた構造の枠部材が知られている（例えば、特許文献１の図２、図５参照）。この枠部材では、断面がコの字形をした保持部の内部に、太陽電池パネルの辺を挿入することにより、太陽電池パネルを上下に挟持して太陽電池モジュールを形成している。
【０００４】
近年、このような枠部材を用いた太陽電池モジュールは、大型化が進行し、このため、枠部材のほか、補強部材を用いるものが多く見受けられる（例えば、特許文献１の図１、図４参照）。この補強部材は、一般には、太陽電池パネルの相対向する２辺を保持する一対の枠部材の相互間に架設される。
【０００５】
図２０〜図２４は、このような補強部材を用いた他の例の太陽電池モジュール３を示したものであり、図２０は、太陽電池モジュール３の平面図、図２１は、その正面図、図２２は、図２０のＤ１−Ｄ１断面図、図２３は、図２０のＤ２−Ｄ２断面図、そして、図２４は、太陽電池モジュール３における枠部材と補強部材との結合部分の分解斜視図である。
【０００６】
上記の、矩形状の太陽電池パネルを用いた太陽電池モジュール３では、一般には２対の枠部材が用いられるところを、１対について、枠部材に代えて、２個の補強部材を用いて太陽電池モジュールを構成している。即ち、上記の太陽電池モジュール３は、矩形状の太陽電池パネル９の相対向する２辺を保持する一対の枠部材１０ａ，１０ａと、該枠部材の相互間に架設された３本の補強枠部材２０ａ，２０ａ，２０ａを備えている。この３本の補強枠部材２０ａ，２０ａ，２０ａの内、両端の２本は、一対の枠部材に代えて用いられている。
【０００７】
上記の太陽電池パネル９は、具体的には、次のような構造をしている。即ち、図２０〜図２４において、枠部材１０ａは、保持壁１１、保持上片１２、保持下片１３、壁部１４、及び、底部片１５で構成されている。保持壁１１は、太陽電池パネル９の一辺に沿って垂直に形成されている。保持上片１２、及び、保持下片１３は、上記の保持壁１１の上端と下端から、共に略同じ長さで水平に張出して形成されている。これらの保持壁１１、保持上片１２、及び、保持下片１３により、上述した断面がコの字形をした保持部が構成される。
【０００８】
壁部１４は、保持壁１１の下に下方に向かって壁状に連設されている。又、底部片１５は、この壁部１４の下端の内側に、内側に向かって張設されて形成されている。そして、上記の枠部材１０ａには、保持下片１３の下面１３ａ、壁部１４の内側面１４ａ、及び、底部片１５の上面１５ａで囲まれた補強枠嵌挿空間１６が形成されている。
【０００９】
補強枠部材２０ａは、断面が口字形で内部空間２１を備えた角パイプで形成されている。この補強枠部材２０ａは、保持下片１３の下面１３ａと底部片１５の上面１５ａとで挟持され、且つ、この補強枠部材２０ａの端縁２４が、枠部材１０ａの壁部１４の内側面１４ａに当接するように、補強枠嵌挿空間１６に嵌挿されている。そして、枠部材１０ａの壁部１４に設けられたこの壁部１４を貫通する貫通螺子孔１７に、螺子６を通すと共に、この螺子６を、補強枠部材２０ａの内部空間２１に突設された螺子係止片２２に螺着することにより、補強枠部材２０ａが枠部材１０ａに結合されている。
【００１０】
上述した内容から分かるとおり、補強枠部材２０ａは、角パイプで形成されていると共に、補強枠部材２０ａの端縁２４が、枠部材１０ａの壁部１４の内側面１４ａに当接するように、補強枠嵌挿空間１６に嵌挿されて枠部材１０ａに結合されている。
【００１１】
尚、本明細書では、太陽電池パネルの辺を枠部材により保持する太陽電池モジュールにおいて、「内側」とは、「太陽電池パネルが存在する方向の側」を意味するものとする。
【特許文献１】特開平９−１４８６１２号公報
【発明の開示】
【発明が解決しようとする課題】
【００１２】
ところで、上記の太陽電池モジュール３等は、住宅等で使用される場合、太陽光を無駄なく利用できるようにするために、屋根等の屋外に設置される場合が多い。この場合、太陽電池モジュール３は、降雨時等に、雨にぬれて、補強枠部材２０ａの端縁２４が当接している枠部材１０ａの壁部１４との隙間等から、角パイプで形成されている補強枠部材２０ａの内部空間２１に雨水等が流れ込んで、この内部空間２１に滞留することがしばしば生じる。
【００１３】
この補強枠部材２０ａの内部空間２１に滞留する雨水等は、寒冷地等における厳寒期に、凍りつくことがある。上述したように、補強枠部材２０ａは、角パイプで形成されると共に、保持下片１３の下面１３ａと底部片１５の上面１５ａとで挟持され、且つ、この補強枠部材２０ａの端縁２４が、枠部材１０ａの壁部１４の内側面１４ａに当接するように、補強枠嵌挿空間１６に嵌挿されて、枠部材１０ａに結合されている。
【００１４】
そのため、補強枠部材２０ａの内部空間２１は閉鎖空間となり、内部空間２１に流入した雨水等は、外部へは容易に排出されず、寒冷地における厳寒期等に凍結すると、枠部材１０ａと補強枠部材２０ａとの隙間等もこの雨水等により凍結することになる。そのため、この補強枠部材２０ａの内部空間２１は密閉空間となるので、寒冷地における厳寒期等では、雨水が凍って体積が膨張し、補強枠部材２０ａを破壊することがあることから、これが、太陽電池モジュール３の破損する原因の１つとなっていた。
【００１５】
そこで、この発明は、このような状況を改善するためになされたものであって、太陽電池モジュールが、屋根等に設置される場合に、流れ込んだ雨水等の凍結により破壊されることが防止可能な、太陽電池モジュールを提供しようとするものである。
【課題を解決するための手段】
【００１７】
本発明の太陽電池モジュールは、太陽電池パネルの一辺を保持する枠部材と、該枠部材に結合される補強枠部材と、を備えて構成された太陽電池モジュールである。
【００１８】
この太陽電池モジュールの構成要素である枠部材は、太陽電池パネルの一辺を挟持して太陽電池パネルを保持する水平に張設された保持部と、該保持部の下に下方に向かって連設された壁部と、該壁部の下端の内側に、内側に向かって張設された底部片と、を備えて形成される。又、この枠部材には、保持部の下面、壁部の内側面、及び、底部片の上面で囲まれた補強枠嵌挿空間が形成される。
【００１９】
又、補強枠部材は、断面が口字形で内部空間を備えた角パイプで形成され、枠部材の保持部の下面と底部片の上面とで挟持されるように、補強枠嵌挿空間に嵌挿されて枠部材に結合される。
【００２０】
上記の太陽電池モジュールでは、枠部材の補強枠嵌挿空間に面する壁部の内側面に突起片が形成されると共に、該突起片に補強枠部材の端縁が当接した状態で、該補強枠部材と壁部の内側面との間に、補強枠部材の内部空間を流れる雨水等の水が滞留することなく外部に流出可能な隙間が形成されている。この場合、枠部材の内側面における突起片を、この枠部材の壁部の内側面と保持部の下面との接合部に形成された上隅、及び、枠部材の壁部の内側面と底部片の上面との接合部に形成された下隅に、前記枠部材の全長にわたって形成されている。
【００２１】
そのため、角パイプで形成されている補強枠部材の内部空間に雨水等が流れ込んでも、上記の突起片に補強枠部材の端縁が当接した状態で、該補強枠部材と壁部の内側面との間に形成されている隙間により、補強枠部材の内部空間を流れる雨水等を、滞留させることなく外部に流出させることができる。従って、上記の太陽電池モジュールによれば、寒冷地における厳寒期等に、補強枠部材の内部空間に流入した雨水等が凍結して体積が膨張することにより補強枠部材が破壊されるのを、防止することができる。
特に、上隅及び下隅に形成に形成された突起片に補強枠部材の端縁が当接することにより、上記の隙間を形成することができるのみならず、上隅及び下隅に形成された突起片により、枠部材の強度を向上することができる。
【００２２】
上記の太陽電池モジュールにおいて、補強枠部材の枠部材への結合を、枠部材の壁部に設けられた該壁部を貫通する貫通螺子孔、及び、補強枠部材の内部空間に突設された螺子係止片を介して螺着することにより、行うようにしてもよい。このようにすることにより、シンプルな構成で、補強枠部材を枠部材に、強固に、且つ、容易に結合することができる。
【００２５】
上記の場合に、下隅に形成される突起片を、枠部材の底部片の上面からの突起片の垂直方向の高さが、補強枠部材の底辺の肉厚以下となるように形成するのが好適である。
【００２６】
このようにすることにより、補強枠部材の端縁が当接する下隅に形成された突起片の高さが、補強枠部材の底辺の肉厚よりも低くなるので、この突起片は、補強枠部材の内部空間を流れる雨水等の外部への流出に対して障害とはならない。従って、内部空間を流れる雨水等を、滞留することなく外部に容易に流出させることができる。
【発明の効果】
【００３５】
本発明によれば、太陽電池モジュールにおいて、枠部材の補強枠嵌挿空間に面する壁部の内側面に突起片が形成されると共に、該突起片に補強枠部材の端縁が当接した状態で、該補強枠部材と壁部の内側面との間に隙間が形成される。
【００３６】
そのため、角パイプで形成されている補強枠部材の内部空間に雨水等が流れ込んでも、枠部材に形成された突起片に補強枠部材の端縁が当接した状態で、該補強枠部材と壁部の内側面との間に形成される上記の隙間により、補強枠部材の内部空間を流れる雨水等を、滞留させることなく外部に流出させることができる。
【００３７】
従って、寒冷地における厳寒期等に、補強枠部材の内部空間に流入した雨水等が凍結して体積が膨張することにより補強枠部材が破壊されるのを、防止することができる。
【発明を実施するための最良の形態】
【００３８】
次に、本発明の実施の形態における太陽電池モジュールについて、図面を参照しながら説明する。本実施の形態における説明では、実施の形態１〜実施の形態３の、３種類の実施の形態における太陽電池モジュールについて説明する。
【００３９】
尚、本実施の形態における太陽電池モジュールは、太陽光を無駄なく利用できるようにするために、住宅の屋根等の屋外に設置されるものであり、降雨時等に、本実施の形態における太陽電池モジュールが雨にぬれて、本実施の形態における太陽電池モジュールの内部に、雨水等が浸入することを想定している。
【００４０】
＜実施の形態１＞
図１は、実施の形態１における太陽電池モジュール１ａの平面図、図２は、その正面図、図３は、図１のＡ１−Ａ１断面図、図４は、図１のＡ２−Ａ２断面図、そして、図５は、太陽電池モジュール１ａにおける枠部材１０ｂと補強部材２０ａとの結合部分の分解斜視図である。
【００４１】
この実施の形態１における太陽電池モジュール１ａは、次のような構造をしている。即ち、図１〜図５において、太陽電池パネル９は、矩形状であり、この太陽電池パネル９の相対向する長辺を、一対の枠部材１０ｂ，１０ｂで保持している。又、この一対の枠部材１０ｂ，１０ｂの両端間と中間点間には、３本の補強枠部材２０ａ，２０ａ，２０ａが、太陽電池パネル９の裏側に架設されている。
【００４２】
上記の枠部材１０ｂは、保持壁１１、保持上片１２、保持下片１３、壁部１４、及び、底部片１５で構成されている。保持壁１１は、太陽電池パネル９の長辺に沿って垂直に形成されている。保持上片１２、及び、保持下片１３は、上記の保持壁１１の上端と下端から、共に略同じ長さで水平に張出して形成されている。これらの保持壁１１、保持上片１２、及び、保持下片１３により構成される断面がコの字形をした部分に、太陽電池パネル９の長辺が挿入されて保持される。
【００４３】
又、これらの保持壁１１、保持上片１２、及び、保持下片１３により構成される部分が、前述した「太陽電池パネルの一辺を挟持して太陽電池パネルを保持する水平に張設された保持部」に該当する。
【００４４】
壁部１４は、保持壁１１の下に下方に向かって壁状に連設されている。又、底部片１５は、この壁部１４の下端の内側に、内側に向かって張設されて形成されている。そして、上記の枠部材１０ｂには、保持下片１３の下面１３ａ、壁部１４の内側面１４ａ、及び、底部片１５の上面１５ａで囲まれる補強枠嵌挿空間１６が形成されている。
【００４５】
又、上記の枠部材１０ｂでは、図４、図５に示すように、壁部１４の内側面１４ａと保持下片１３の下面１３ａとの接合部に形成される上隅、及び、壁部１４の内側面１４ａと底部片１５の上面１５ａとの接合部に形成される下隅に、突起片１８，１８が形成されている。
【００４６】
上記の補強枠部材２０ａは、断面が口字形で内部空間２１を備えた角パイプで形成されている。降雨時には、この角パイプで形成されている補強枠部材２０ａの内部空間２１に、雨水等の水が浸入することになる。
【００４７】
この補強枠部材２０ａは、図４、図５に示すように、保持下片１３の下面１３ａと底部片１５の上面１５ａとで挟持され、且つ、この補強枠部材２０ａの端縁２４が、上記の突起片１８，１８に当接するように、補強枠嵌挿空間１６に嵌挿される。
【００４８】
そのため、突起片１８，１８に補強枠部材２０ａの端縁２４が当接した状態で、この補強枠部材２０ａと壁部１４の内側面１４ａとの間には、隙間７が形成される。この隙間７は、補強枠部材２０ａの内部空間２１に浸入して流れる雨水等の水が、滞留することなく外部に流出できる大きさに形成される。
【００４９】
そこで、上記の突起片１８，１８は、突起片１８，１８上記の隙間７の大きさが、補強枠部材２０ａの内部空間２１に浸入した雨水等の水が、滞留することなく外部に流出できる大きさになるように、形成される。
【００５０】
そして、図４、図５に示すように、枠部材１０ｂの壁部１４に設けられたこの壁部１４を貫通する貫通螺子孔１７に、螺子６を通すと共に、この螺子６を、補強枠部材２０ａの内部空間２１に突設された螺子係止片２２に螺着することにより、補強枠部材２０ａを枠部材１０ｂに結合する。このようにすることにより、シンプルな構成で、補強枠部材２０ａを枠部材１０ｂに、強固に、且つ、容易に結合することができる。
【００５１】
上記の実施の形態１における太陽電池モジュール１ａによれば、この太陽電池モジュール１ａには、上述したように、枠部材１０ｂの補強枠嵌挿空間１６に面する壁部１４の内側面１４ａに突起片１８，１８が形成されると共に、この突起片１８，１８に補強枠部材２０ａの端縁２４が当接した状態で、この補強枠部材２０ａと壁部１４の内側面１４ａとの間に、補強枠部材２０ａの内部空間２１を流れる水が、滞留することなく外部に流出可能な隙間７が形成される。
【００５２】
そのため、角パイプで形成されている補強枠部材２０ａの内部空間２１に雨水等が流れ込んでも、上記の突起片１８，１８に補強枠部材２０ａの端縁２４が当接した状態で、該補強枠部材２０ａと壁部１４の内側面１４ａとの間に形成されている隙間７により、補強枠部材２０ａの内部空間２１を流れる雨水等を、滞留させることなく外部に流出させることができる。
【００５３】
従って、上記の実施の形態１における太陽電池モジュール１ａによれば、寒冷地における厳寒期等に、補強枠部材２０ａの内部空間２１に流入した雨水等が凍結して体積が膨張することにより補強枠部材２０ａが破壊されるのを、防止することができる。
【００５４】
又、上記の実施の形態１における太陽電池モジュール１ａでは、図４に示すように、壁部１４の内側面１４ａと底部片１５の上面１５ａとの接合部に形成される下隅に形成される突起片１８は、この突起片１８における枠部材１０ｂの底部片１５の上面１５ａからの垂直方向の高さｈ２が、補強枠部材２０ａの底辺２５の肉厚ｈ１以下となるように形成される。
【００５５】
そのため、補強枠部材２０ａの端縁２４が当接する上記の下隅に形成された突起片１８の高さｈ２が、補強枠部材２０ａの底辺２５の肉厚ｈ１よりも低くなるので、この突起片１８は、補強枠部材２０ａの内部空間２１を流れる雨水等の外部への流出に対して障害とはならない。従って、補強枠部材２０ａの内部空間２１を流れる雨水等を、滞留することなく外部に容易に流出させることができる。
【００５６】
上記の実施の形態１における太陽電池モジュール１ａにおいて、補強枠部材２０ａは、その断面形状が、図５に示すように、図６（ａ）の形状を採用している。しかし、補強枠部材２０ａの断面形状は、これには限られず、図６（ｂ）〜図６（ｇ）に示すいずれの形状の補強枠部材を採用してもよい。この点は、後述する実施の形態２、及び実施の形態３においても同様である。
【００５７】
＜実施の形態２＞
図７は、実施の形態２における太陽電池モジュール１ｂの平面図、図８は、その正面図、図９は、図７のＢ１−Ｂ１断面図、図１０は、図７のＢ２−Ｂ２断面図、そして、図１１は、太陽電池モジュール１ｂにおける枠部材１０ｃと補強部材２０ａとの結合部分の分解斜視図である。
【００５８】
実施の形態２における太陽電池モジュール１ｂは、実施の形態１における太陽電池モジュール１ａの枠部材１０ｂに代えて、枠部材１０ｃを用いたものであり、それ以外は、実施の形態１における太陽電池モジュール１ａと同じである。
【００５９】
即ち、実施の形態１における太陽電池モジュール１ａでは、枠部材１０ｂの壁部１４の内側面１４ａと保持下片１３の下面１３ａとの接合部に形成される上隅、及び、壁部１４の内側面１４ａと底部片１５の上面１５ａとの接合部に形成される下隅に、突起片１８，１８が形成されている。
【００６０】
これに対して、実施の形態２における太陽電池モジュール１ｂでは、枠部材１０ｃの壁部１４の内側面１４ａの途中部に、１個の突起片１８が形成されている。この枠部材１０ｃの壁部１４の内側面１４ａの途中部に形成されている突起片１８の役割は、実施の形態１における太陽電池モジュール１ａの枠部材１０ｂの壁部１４に形成されている突起片１８，１８の役割と全く同じである。
【００６１】
即ち、補強枠部材２０ａは、図１０、図１１に示すように、保持下片１３の下面１３ａと底部片１５の上面１５ａとで挟持され、且つ、この補強枠部材２０ａの端縁２４が、枠部材１０ｃの壁部１４の内側面１４ａの途中部に形成されている上記の突起片１８に当接するように、補強枠嵌挿空間１６に嵌挿される。
【００６２】
そのため、壁部１４の内側面１４ａの途中部に形成されてい突起片１８に補強枠部材２０ａの端縁２４が当接した状態で、この補強枠部材２０ａと壁部１４の内側面１４ａとの間には、隙間７が形成される。この隙間７は、補強枠部材２０ａの内部空間２１に浸入して流れる雨水等の水が、滞留することなく外部に流出できる大きさに形成される。
【００６３】
そこで、上記の突起片１８は、上記の隙間７の大きさが、補強枠部材２０ａの内部空間２１に浸入した雨水等の水が、滞留することなく外部に流出できる大きさになるように、形成される。
【００６４】
従って、上記の実施の形態２における太陽電池モジュール１ｂによれば、上記の実施の形態１における太陽電池モジュール１ａと同様、寒冷地における厳寒期等に、補強枠部材２０ａの内部空間２１に流入した雨水等が凍結して体積が膨張することにより補強枠部材２０ａが破壊されるのを、防止することができる。
【００６５】
又、上記の実施の形態２における太陽電池モジュール１ｂでは、図１０に示すように、枠部材１０ｃの壁部１４の内側面１４ａの途中部に形成される突起片１８を、この枠部材１０ｃの底部片１５の上面１５ａからの突起片１８の下端１８ａの位置の高さｈ３が、補強枠部材２０ａの底辺２５の肉厚ｈ１よりも高くなるように形成される。
【００６６】
そのため、補強枠部材２０ａの端縁２４が当接する突起片１８の下端１８ａの位置の高さｈ３が、補強枠部材２０ａの底辺１５の肉厚ｈ１よりも高くなるので、この突起片１８は、補強枠部材２０ａの内部空間２１を流れる雨水等の外部への流出に対して障害とはならない。従って、補強枠部材２０ａの内部空間２１を流れる雨水等を、滞留することなく外部に容易に流出させることができる。
【００６７】
上記の実施の形態２における太陽電池モジュール１ｂでは、枠部材１０ｃの壁部１４の内側面１４ａの途中部に形成される突起片１８は、１個であるが、この突起片１８を、壁部１４の内側面１４ａの途中部に複数個形成するようにしてもよい。図１２は、突起片１８を、壁部１４の内側面１４ａの途中部に２個形成した場合の、枠部材１０ｄの断面図である。
【００６８】
この場合においても、壁部１４の内側面１４ａの途中部の最も下側に形成される突起片１８は、枠部材１０ｃの底部片１５の上面１５ａからの突起片１８の下端１８ａの位置の高さｈ４が、補強枠部材２０ａの底辺２５の肉厚ｈ１よりも高くなるように形成される。
【００６９】
＜実施の形態３＞
図１３は、実施の形態３における太陽電池モジュール２の平面図、図１４は、その正面図、図１５は、図１３のＣ１−Ｃ１断面図、図１６は、図１３のＣ２−Ｃ２断面図、そして、図１７は、太陽電池モジュール２における枠部材１０ａと補強部材２０ｂとの結合部分の分解斜視図である。
【００７０】
この実施の形態３における太陽電池モジュール２は、次のような構造をしている。即ち、図１３〜図１７において、太陽電池パネル９は、矩形状であり、この太陽電池パネル９の相対向する長辺を、一対の枠部材１０ａ，１０ａで保持している。又、この一対の枠部材１０ａ，１０ａの両端間と中間点間には、３本の補強枠部材２０ｂ，２０ｂ，２０ｂが、太陽電池パネル９の裏側に架設されている。
【００７１】
上記の枠部材１０ａは、保持壁１１、保持上片１２、保持下片１３、壁部１４、及び、底部片１５で構成されている。保持壁１１は、太陽電池パネル９の長辺に沿って垂直に形成されている。保持上片１２、及び、保持下片１３は、上記の保持壁１１の上端と下端から、共に略同じ長さで水平に張出して形成されている。これらの保持壁１１、保持上片１２、及び、保持下片１３により構成される断面がコの字形をした部分に、太陽電池パネル９の長辺が挿入されて保持される。
【００７２】
又、これらの保持壁１１、保持上片１２、及び、保持下片１３により構成される部分が、前述した「太陽電池パネルの一辺を挟持して太陽電池パネルを保持する水平に張設された保持部」に該当する。
【００７３】
壁部１４は、保持壁１１の下に下方に向かって壁状に連設されている。又、底部片１５は、この壁部１４の下端の内側に、内側に向かって張設されて形成されている。そして、上記の枠部材１０ａには、保持下片１３の下面１３ａ、壁部１４の内側面１４ａ、及び、底部片１５の上面１５ａで囲まれる補強枠嵌挿空間１６が形成されている。
【００７４】
上記の補強枠部材２０ｂは、断面が口字形で内部空間２１を備えた角パイプで形成されている。この補強枠部材２０ｂは、図１６、図１７に示すように、補強枠部材２０ｂの端部２３の下端側の一部が、斜めに削除されている。又、降雨時には、この角パイプで形成されている補強枠部材２０ｂの内部空間２１に、雨水等の水が浸入することになる。
【００７５】
この補強枠部材２０ｂは、図４、図５に示すように、保持下片１３の下面１３ａと底部片１５の上面１５ａとで挟持され、且つ、補強枠部材２０ｂの端縁２４の少なくとも一部が、枠部材１０ａの壁部１４の内側面１４ａに当接するように、補強枠嵌挿空間１６に嵌挿される。
【００７６】
そのため、枠部材１０ａの壁部１４の内側面１４ａに補強枠部材２０ｂの端縁２４が当接した状態で、この補強枠部材２０ｂと壁部１４の内側面１４ａとの間には、直角三角形状の開口部８が形成される。この開口部８は、補強枠部材２０ｂの内部空間２１に浸入して流れる雨水等の水が、滞留することなく外部に流出できる大きさに形成される。
【００７７】
そこで、上記の開口部８の大きさは、補強枠部材２０ｂの内部空間２１に浸入した雨水等の水が、滞留することなく外部に流出できる大きさになるように、形成される。
【００７８】
そして、図４、図５に示すように、枠部材１０ａの壁部１４に設けられたこの壁部１４を貫通する貫通螺子孔１７に、螺子６を通すと共に、この螺子６を、補強枠部材２０ｂの内部空間２１に突設された螺子係止片２２に螺着することにより、補強枠部材２０ｂを枠部材１０ａに結合する。このようにすることにより、シンプルな構成で、補強枠部材２０ｂを枠部材１０ａに、強固に、且つ、容易に結合することができる。
【００７９】
上記の実施の形態３における太陽電池モジュール２によれば、この太陽電池モジュール２には、上述したように、補強枠部材２０ｂの端部２３の下端側の一部が斜めに削除されると共に、補強枠部材２０ｂの端縁２４が枠部材１０ａの壁部１４の内側面１４ａに当接した状態で、補強枠部材２０ｂの端部２３の側壁２６に、補強枠部材２０ｂの内部空間２１を流れる水が滞留することなく外部に流出可能な開口部８が形成される。
【００８０】
そのため、角パイプで形成されている補強枠部材２０ｂの内部空間２１に雨水等が流れ込んでも、枠部材１０ａに補強枠部材２０ｂの端縁２４が当接した状態で、補強枠部材２０ｂの端部２３の側壁２６に形成されている開口部８により、補強枠部材２０ｂの内部空間２１を流れる雨水等を、滞留することなく外部に流出させることができる。
【００８１】
従って、上記の実施の形態３における太陽電池モジュール２によれば、寒冷地における厳寒期等に、補強枠部材２０ｂの内部空間２１に流入した雨水等が凍結して体積が膨張することにより補強枠部材２０ｂが破壊されるのを、防止することができる。
【００８２】
上記の実施の形態３における太陽電池モジュール２では、補強枠部材２０ｂの端部２３の下端側の一部は、斜めに削除されており、枠部材１０ａの壁部１４の内側面１４ａに補強枠部材２０ｂの端縁２４が当接した状態で、この補強枠部材２０ｂと壁部１４の内側面１４ａとの間に形成される開口部８の形状は、直角三角形である。
【００８３】
しかし、この補強枠部材２０ｂと壁部１４の内側面１４ａとの間に形成される開口部８の形状としては、上記の直角三角形には限られず、その他の形状であってもよい。図１８、及び、図１９は、上記の開口部８の形状が、上記の直角三角形以外の他の形状をした例として、補強枠部材２０ｃ、及び、補強枠部材２０ｄの端部の側面の形状を示したものである。
【図面の簡単な説明】
【００８４】
【図１】実施の形態１における太陽電池モジュールの平面図である。
【図２】実施の形態１における太陽電池モジュールの正面図である。
【図３】図１のＡ１−Ａ１断面図である。
【図４】図１のＡ２−Ａ２断面図である。
【図５】実施の形態１における太陽電池モジュールの枠部材と補強部材との結合部分の分解斜視図である。
【図６】（ａ）〜（ｇ）は、実施の形態１における太陽電池モジュールの補強枠部材の断面形状の例を示した断面図である。
【図７】実施の形態２における太陽電池モジュールの平面図である。
【図８】実施の形態２における太陽電池モジュールの正面図である。
【図９】図７のＢ１−Ｂ１断面図である。
【図１０】図７のＢ２−Ｂ２断面図である。
【図１１】実施の形態２における太陽電池モジュールの枠部材と補強部材との結合部分の分解斜視図である。
【図１２】実施の形態２における太陽電池モジュールの枠部材の他の例の断面図である。
【図１３】実施の形態３における太陽電池モジュールの平面図である。
【図１４】実施の形態３における太陽電池モジュールの正面図である。
【図１５】図１３のＣ１−Ｃ１断面図である。
【図１６】図１３のＣ２−Ｃ２断面図である。
【図１７】実施の形態３における太陽電池モジュールの枠部材と補強部材との結合部分の分解斜視図である。
【図１８】実施の形態３における太陽電池モジュールの開口部の形状の他の例を示した補強枠部材の端部の側面図（その１）である。
【図１９】実施の形態３における太陽電池モジュールの開口部の形状の他の例を示した補強枠部材の端部の側面図（その２）である。
【図２０】従来例の太陽電池モジュールの平面図である。
【図２１】従来例の太陽電池モジュールの正面図である。
【図２２】図２０のＤ１−Ｄ１断面図である。
【図２３】図２０のＤ２−Ｄ２断面図である。
【図２４】従来例の太陽電池モジュールの枠部材と補強部材との結合部分の分解斜視図である。
【符号の説明】
【００８５】
１ａ  太陽電池モジュール
１ｂ  太陽電池モジュール
２  太陽電池モジュール
３  太陽電池モジュール
６  螺子
７  隙間
８  開口部
９  太陽電池パネル
１０ａ  枠部材
１０ｂ  枠部材
１０ｃ  枠部材
１０ｄ  枠部材
１１  保持壁
１２  保持上片
１３  保持下片
１３ａ  下面
１４  壁部
１４ａ  内側面
１５  底部片
１５ａ  上面
１６  補強枠嵌挿空間
１７  貫通螺子孔
１８  突起片
１８ａ  下端
２０ａ  補強枠部材
２０ｂ  補強枠部材
２０ｃ  補強枠部材
２０ｄ  補強枠部材
２１  内部空間
２２  螺子係止片
２３  端部
２４  端縁
２５  底辺
２６  側壁
【図１】
0005089300.tif 000002
【図２】
0005089300.tif 000003
【図３】
0005089300.tif 000004
【図４】
0005089300.tif 000005
【図５】
0005089300.tif 000006
【図６】
0005089300.tif 000007
【図７】
0005089300.tif 000008
【図８】
0005089300.tif 000009
【図９】
0005089300.tif 000010
【図１０】
0005089300.tif 000011
【図１１】
0005089300.tif 000012
【図１２】
0005089300.tif 000013
【図１３】
0005089300.tif 000014
【図１４】
0005089300.tif 000015
【図１５】
0005089300.tif 000016
【図１６】
0005089300.tif 000017
【図１７】
0005089300.tif 000018
【図１８】
0005089300.tif 000019
【図１９】
0005089300.tif 000020
【図２０】
0005089300.tif 000021
【図２１】
0005089300.tif 000022
【図２２】
0005089300.tif 000023
【図２３】
0005089300.tif 000024
【図２４】
0005089300.tif 000025